(57)【要約】【課題】シャント抵抗器の放熱性を改善させ、シャント抵抗器の温度上昇を抑制することができる空気調和機の制御装置を提供すること。【解決手段】モータ電流を検知する手段として、チップタイプのシャント抵抗器５を、プリント配線板６上に実装している空気調和機の制御装置において、半導体スイッチング素子を有するパワーモジュールを放熱するための放熱板７と、前記プリント配線板６の前記シャント抵抗器５実装部の裏面との間に、熱伝導体８を挟みこみ接触させた。【選択図】図２
2013138119.tif 000002
【特許請求の範囲】
【請求項１】
モータ電流を検知する手段として、チップタイプのシャント抵抗器を、プリント配線板上に実装している空気調和機の制御装置において、半導体スイッチング素子を有するパワーモジュールを放熱するための放熱板と、前記プリント配線板の前記シャント抵抗器実装部の裏面との間に、熱伝導体を挟みこみ接触させたことを特徴とする空気調和機の制御装置。
【請求項２】
前記放熱板と前記熱伝導体をネジ止めにて固定し、前記プリント配線板の前記シャント抵抗器実装部の裏面と前記熱伝導体との間にシリコングリスを塗布したことを特徴とする請求項１に記載の空気調和機の制御装置。
【発明の詳細な説明】
【技術分野】
【０００１】
本発明は、モータ電流をシャント抵抗器にて検出する空気調和器の制御装置に関するものである。
【背景技術】
【０００２】
従来、空気調和器の制御装置の送風ファン用モータの電流を検出するシャント抵抗器は発熱量が多く、そのような発熱部品の温度上昇を抑制するために、リード型抵抗器をシャント抵抗器のハンダ部に実装し、放熱面積を大きくして温度上昇を抑制しているものがあった（例えば、特許文献１参照）。
【０００３】
図４は、従来の空気調和機の制御装置のプリント配線板の斜視図と側面図を示す。図４に示すように、プリント配線板６には、表側に、シャント抵抗器５を、裏側に、スイッチングトランジスタモジュール４と整流用ダイオード１を実装している。スイッチングトランジスタモジュール４や整流用ダイオード１は大電流が流れるので、発熱量が大変多く、放熱板７が、スイッチングトランジスタモジュール４や整流用ダイオード１に接するかたちで配置されており、スイッチングトランジスタモジュール４や整流用ダイオード１の放熱を促進している。また、シャント抵抗器５も、スイッチングトランジスタモジュール４や整流用ダイオード１ほどではないが、発熱量が多いので、プリント配線板６の裏側に、リード型抵抗器１１を配置し、シャント抵抗器５のハンダ部に実装して、リード型抵抗器１１を介して放熱をし、シャント抵抗器５の温度上昇を抑制している。
【先行技術文献】
【特許文献】
【０００４】
【特許文献１】特開２００５−１６６９８１号公報
【発明の概要】
【発明が解決しようとする課題】
【０００５】
しかしながら、近年冷房能力向上のため送風ファン用モータの電流は増加傾向にあり、夏場の厳しい環境化では放熱性が低下し、前記従来の構成ではシャント抵抗器の温度上昇抑制に対応することが困難となってきているという課題を有していた。
【０００６】
本発明は、前記従来の課題を解決するもので、シャント抵抗器の放熱性を改善させ、シャント抵抗器の温度上昇を抑制することができる空気調和機の制御装置を提供することを目的とする。
【課題を解決するための手段】
【０００７】
前記従来の課題を解決するために、本発明の空気調和機の制御装置は、半導体スイッチング素子を有するパワーモジュールを放熱するための放熱板とシャント抵抗器実装部の裏面との間に熱伝導体を挟みこみ接触させた構成としたものである。
【０００８】
これによって、シャント抵抗器の熱を、熱伝導体を介して放熱板へと伝導させ放熱させることで、シャント抵抗器の温度上昇を抑制することが可能となる。
【発明の効果】
【０００９】
本発明の空気調和機の制御装置は、放熱板とプリント配線板との間に熱伝導体を挟みこみ、シャント抵抗器の熱を放熱板へ伝導させ放熱させることで、シャント抵抗器の温度上昇を抑制することができ、モータ電流の増加を可能とし、空気調和機の冷房能力を向上さ
せることができる。
【図面の簡単な説明】
【００１０】
【図１】本発明の実施の形態１における空気調和機の制御装置のブロック図
【図２】（ａ）同空気調和機の制御装置のプリント配線板の斜視図（ｂ）同側面図
【図３】同実施の形態２における空気調和機の制御装置のプリント配線板の側面図
【図４】（ａ）従来の空気調和機の制御装置のプリント配線板の斜視図（ｂ）同側面図
【発明を実施するための形態】
【００１１】
第１の発明は、モータ電流を検知する手段として、チップタイプのシャント抵抗器を、プリント配線板上に実装している空気調和機の制御装置において、半導体スイッチング素子を有するパワーモジュールを放熱するための放熱板と、前記プリント配線板の前記シャント抵抗器実装部の裏面との間に、熱伝導体を挟みこみ接触させたことにより、シャント抵抗器の熱を熱伝導体を介して、放熱板７へと逃がし放熱することで、シャント抵抗器の温度上昇を抑制することが可能となる。
モータ電流検知用のシャント抵抗器の温度上昇を抑制することができる。
【００１２】
第２の発明は、特に、第１の発明において、前記放熱板と前記熱伝導体をネジ止めにて固定し、前記プリント配線板の前記シャント抵抗器実装部の裏面と前記熱伝導体との間にシリコングリスを塗布したことにより、プリント配線板と熱伝導体と放熱板との密着性を高め、放熱性を高めることで、シャント抵抗器の温度上昇をさらに抑制することができる。
【００１３】
以下、本発明の実施の形態について、図面を参照しながら説明する。なお、この実施の形態によって本発明が限定されるものではない。
【００１４】
（実施の形態１）
図１は本発明の第１の実施の形態における空気調和機の制御装置のブロック図を示す。図１に示すように、本発明の空気調和機の制御装置は、交流電力を直流に整流する整流用ダイオード１と、整流用ダイオード１によって直流に整流された直流電源２と、モータ３と、モータ３駆動用のスイッチングトランジスタモジュール４と、スイッチングトランジスタモジュール４と直流電源２の負の端子間に接続されたシャント抵抗器５とを備える。
【００１５】
そして、モータ３を駆動させるとシャント抵抗器５に電流（モータ電流）が流れる。シャント抵抗器５は一定の抵抗値を持っており、シャント抵抗器５の両端電位は、オームの法則により、そのモータ電流によって電圧値が変化するが、その電圧値を検出することにより、モータ電流を検出することができる。
【００１６】
なお、シャント抵抗器５には、モータ電流が流れることにより、電流×電圧によって決まる損失が発生し、これに熱抵抗を乗じた熱量が発生してしまうので、この熱量を放熱させる必要がある。
【００１７】
図２は、本発明の第１の実施の形態における空気調和機の制御装置のプリント配線板の斜視図と側面図を示す。図２に示すように、シャント抵抗器５が実装されたプリント配線板６と、スイッチングトランジスタモジュール４を放熱するための放熱板７との間に、熱伝導体８を両者に接触するように挟み込む。このような構成をとることにより、シャント抵抗器５の熱量を熱伝導体８を介して、放熱板７へと逃がし放熱することで、シャント抵抗器５の熱量を低減させ、シャント抵抗器５の温度上昇を抑制することが可能となる。
【００１８】
（実施の形態２）
図３は、本発明の第２の実施の形態における空気調和機の制御装置のプリント配線板の側面図を示す。図３において、図２と同じ構成要素については同じ符号を用い、説明を省略する。
【００１９】
前記実施の形態１のように、熱伝導体８をプリント配線板６と放熱板７との間に挟みこむだけでは、プリント配線板６の反りにより発生する挟み込みスペースの寸法ばらつきや、熱伝導体８の寸法ばらつき等により、密着性が確保できず、最悪抜け落ちてしまう可能性もある。そこで、図３に示すように、熱伝導体８をネジ９で放熱板７に固定し、熱伝導体８とプリント配線板６との密着性は、シリコングリス１０を熱伝導体８へ塗布することで確保する。このような構成をとることにより、シャント抵抗器５から放熱板７への熱伝導性を高め、シャント抵抗器５の熱の放熱性を高めることで、シャント抵抗器５の温度上昇をさらに抑制することが可能となる。
【００２０】
また、シリコングリス１０の代わりに弾力性のあるシリコンシートを用い、厚みのあるシリコンシートを潰すような使い方をすることにより、プリント配線板６と熱伝導体８との密着性はさらに増し、シャント抵抗器５の温度上昇をより一層抑制することが可能となる。
【産業上の利用可能性】
【００２１】
以上のように、本発明にかかる空気調和機の制御装置は、プリント配線板に実装されたシャント抵抗器の温度上昇を抑制することが可能となるので、温度上昇を抑制することが必要な部品を実装したプリント配線板を備えたあらゆる機器の用途にも広く適用できる。
【符号の説明】
【００２２】
１  整流用ダイオード
２  直流電源
３  モータ
４  スイッチングトランジスタモジュール
５  シャント抵抗器
６  プリント配線板
７  放熱板
８  熱伝導体
９  ネジ
１０  シリコングリス
１１  リード型抵抗器
【図１】
2013138119.tif 000003
【図２】
2013138119.tif 000004
【図３】
2013138119.tif 000005
【図４】
2013138119.tif 000006